(57)【要約】【課題】ローラを反転させて組み立てて使用形態を変化させ、使用するダブルローラ機能を容易に変化させることができる交換式ダブルローラ構造を提供する。【解決手段】交換式ダブルローラ構造は、２つのローラ１と、杆体２と、２つのハンドル３とを備える。前記ローラ１は、所定の厚さを有するとともに、ローラ面領域１１が設けられる。前記ローラ面領域１１には、摩擦力を高めて滑り止めに用いる滑り止め部１１１がそれぞれ設けられる。前記ローラ面領域１１は、傾斜した滑らかな弧面である。各前記ローラ１の両側部には、第１の接続面１２及び第２の接続面１３が画成されるとともに、各前記ローラ面領域１１の傾斜した滑らかな弧面により前記第１の接続面１２の面積は前記第２の接続面１３の面積より大きい。各前記ローラ１は、中心部に形成されて両側部に貫通された軸孔を有する。【選択図】図１
0003217902.tif 000002
【実用新案登録請求の範囲】
【請求項１】
２つのローラと、杆体と、２つのハンドルとを備えた交換式ダブルローラ構造であって、
前記ローラは、所定の厚さを有するとともに、ローラ面領域が設けられ、前記ローラ面領域には、摩擦力を高めて滑り止めに用いる滑り止め部がそれぞれ設けられ、前記ローラ面領域は、傾斜した滑らかな弧面であり、各前記ローラの両側部には、第１の接続面及び第２の接続面が画成されるとともに、各前記ローラ面領域の傾斜した滑らかな弧面により前記第１の接続面の面積は前記第２の接続面の面積より大きく、各前記ローラは、中心部に形成されて両側部に貫通された軸孔を有し、
前記杆体は、前記ローラの前記軸孔に直接挿通され、各前記ローラは前記杆体で旋回可能であり、
前記ハンドルは、前記杆体の両側部に嵌設され、前記杆体の中央部には、各前記ローラが位置決めされる前記杆体の旋回領域が画成され、前記杆体の両側部に嵌設された各前記ハンドルには、把持するために用いる２つの把持領域が画成され、各前記ハンドルの内側には、各前記ローラの側端を当接させる当接領域がそれぞれ設けられ、
各前記ローラの前記第１の接続面がそれぞれ結合され、各前記ローラ面領域の円弧面は互いに接円状態にあることを特徴とする交換式ダブルローラ構造。
【請求項２】
ストッパ部をさらに備え、
前記ストッパ部は、穿孔を有するとともに、前記杆体に挿設されて各前記ローラ間に位置決めされ、各前記ローラ間に所定の距離が設けられることを特徴とする請求項１に記載の交換式ダブルローラ構造。
【請求項３】
前記ストッパ部の前記穿孔は、前記杆体の側端に直接嵌着可能な開放状態に形成されることを特徴とする請求項２に記載の交換式ダブルローラ構造。
【請求項４】
前記ローラの前記ローラ面領域の前記滑り止め部は、一体成形されて各前記ローラの前記ローラ面領域に設けられるか、被覆方式により各前記ローラの前記ローラ面領域の何れか１つを覆うことを特徴とする請求項１に記載の交換式ダブルローラ構造。
【請求項５】
前記杆体の中心部には、前記杆体を中心部で分離させる枢着部が設けられていることを特徴とする請求項１に記載の交換式ダブルローラ構造。
【請求項６】
前記杆体の前記枢着部の結合方式は、螺着方式、嵌着方式又は係合方式であることを特徴とする請求項５に記載の交換式ダブルローラ構造。
【請求項７】
前記ローラの前記軸孔には、模様が設けられ、
前記杆体の前記旋回領域には、前記ローラが旋回するときの摩擦力を高めるローレット加工部が設けられていることを特徴とする請求項１に記載の交換式ダブルローラ構造。
【請求項８】
２つの位置決め部材をさらに備え、
前記位置決め部材は、前記杆体にそれぞれ設けられ、前記ローラが前記杆体の前記旋回領域に位置決めされることを特徴とする請求項１に記載の交換式ダブルローラ構造。
【請求項９】
前記位置決め部材は、嵌着方式で各前記杆体に環状に嵌設されるか、押し捻る方式で前記杆体の所定位置に設けられ、各前記ローラが前記旋回領域に位置決めされることを特徴とする請求項８に記載の交換式ダブルローラ構造。
【請求項１０】
各前記位置決め部材を押し捻る方式で前記杆体に設ける場合、各前記ローラの前記軸孔の内側が、各前記位置決め部材を収容する環状凹溝に形成され、各前記ローラが前記杆体の前記旋回領域に位置決めされることを特徴とする請求項９に記載の交換式ダブルローラ構造。
【考案の詳細な説明】
【技術分野】
【０００１】
本考案は、交換式ダブルローラ構造に関するものであり、さらに詳しくは、ローラを反転させて組み立てて使用形態を変化させることによりダブルローラ機能を容易に変化させることができる交換式ダブルローラ構造に関するものである。
【背景技術】
【０００２】
腹筋ローラとは、膝をついた状態又は前屈した状態で、両手でハンドルを把持して身体を浮かせた状態に維持しながら身体を前後方へ移動させ、床又は地面でローラを往復させて身体を伸ばしたり前屈させたりして腹部、腰部、上腕などの筋群を鍛え、自重を利用してトレーニングを行う器具である。このようなトレーニングを行うとコアマッスルが鍛えられ、高いトレーニング効果が得られる上、そのトレーニングに必要な空間が大きくなく、一人が横たわることができる空間があれば使用できる。また、従来の腹筋ローラには、シングルローラ方式とダブルローラ方式とに主に分けられ、３個以上のローラを使用する複数ローラ方式もあるため、必要に応じて様々な方式を選択することができる。
【０００３】
現代人の生活はペースが速く、生活空間が狭い上、自由に使える時間も少なくなってきているため、運動時間が少なく、運動できる場所も限られていた。そのため、体積が小さめの腹筋ローラは運動するのに適しており、直接自宅に置いて使用したり、室内の小さな空間に置いて使用したりすることができるため、外で運動する必要がなく、外出時間を減らし、運動時間を延ばし、高いトレーニング効果が得られる。このように仕事の合間や短い時間を利用してユーザは運動することができる。
【０００４】
しかし、上述したような従来技術では、ローラをトレーニングに使用するため、大きな空間が無くても使用することができ、様々な部位の筋肉群を同時に鍛え、トレーニングすることができる。また、ローラにはシングルローラ及びダブルローラの形態があり、シングルローラを使用する場合、両端がその中央の一輪により支えられるため、使用する際に左右の力が不均等となって傾いてしまうことがある上、初心者にとってバランスをとることは容易でないため、トレーニングを行う意欲を失ってしまう虞があった。また、ダブルローラの場合は、シングルローラより安定し、両輪によりその両端をユーザが把持するときのバランスをとるが、使用する際、両輪によりそのバランスを保持することができるが、バランスをとる部分のコアマッスルの一部は高いトレーニング効果は得られなかった。このように、上述した２種類の方式は、トレーニング効果があったが、同時に２種類のトレーニング効果を得ることはできなかった。また、シングルローラの場合、両端のバランスをとって鍛えることができるが、そのローラの幅は小さめであり、僅かに傾いてしまうだけで、摺動して外れてユーザが怪我してしまう虞があり、改良が求められていた。
【考案の概要】
【考案が解決しようとする課題】
【０００５】
従って、本考案の主な課題は、交換式ダブルローラ構造であって、使用するダブルローラ機能を容易に変化させることができる交換式ダブルローラ構造を提供することにある。
【課題を解決するための手段】
【０００６】
そこで、本考案者は、前記の本考案の課題を解決するため鋭意検討を重ねた結果、後述のように、ローラを反転させて組み立てて使用形態を変化させることにより、ダブルローラ機能を変化させることができ、前記課題を解決できる点に着目し、かかる知見に基いて、本考案に想到するに至った。
【０００７】
上記課題を解決するために、本考案の第１の形態によれば、２つのローラと、杆体と、２つのハンドルとを備えた、交換式ダブルローラ構造であって、前記ローラは、所定の厚さを有するとともに、ローラ面領域が設けられ、前記ローラ面領域には、摩擦力を高めて滑り止めに用いる滑り止め部がそれぞれ設けられ、前記ローラ面領域は、傾斜した滑らかな弧面であり、各前記ローラの両側部には、第１の接続面及び第２の接続面が画成されるとともに、各前記ローラ面領域の傾斜した滑らかな弧面により前記第１の接続面の面積は前記第２の接続面の面積より大きく、各前記ローラは、中心部に形成されて両側部に貫通された軸孔を有し、前記杆体は、前記ローラの前記軸孔に直接挿通され、各前記ローラは前記杆体で旋回可能であり、前記ハンドルは、前記杆体の両側部に嵌設され、前記杆体の中央部には、各前記ローラが位置決めされる前記杆体の旋回領域が画成され、前記杆体の両側部に嵌設された各前記ハンドルには、把持するために用いる２つの把持領域が画成され、各前記ハンドルの内側には、各前記ローラの側端を当接させる当接領域がそれぞれ設けられ、各前記ローラの前記第１の接続面がそれぞれ結合され、各前記ローラ面領域の円弧面は互いに接円状態にあることを特徴とする交換式ダブルローラ構造を提供することができる。
【０００８】
かくして、本考案の要旨は次の（１）〜（１０）に記載の通りのものである。
（１）２つのローラと、杆体と、２つのハンドルとを備えた交換式ダブルローラ構造であって、
前記ローラは、所定の厚さを有するとともに、ローラ面領域が設けられ、前記ローラ面領域には、摩擦力を高めて滑り止めに用いる滑り止め部がそれぞれ設けられ、前記ローラ面領域は、傾斜した滑らかな弧面であり、各前記ローラの両側部には、第１の接続面及び第２の接続面が画成されるとともに、各前記ローラ面領域の傾斜した滑らかな弧面により前記第１の接続面の面積は前記第２の接続面の面積より大きく、各前記ローラは、中心部に形成されて両側部に貫通された軸孔を有し、
前記杆体は、前記ローラの前記軸孔に直接挿通され、各前記ローラは前記杆体で旋回可能であり、
前記ハンドルは、前記杆体の両側部に嵌設され、前記杆体の中央部には、各前記ローラが位置決めされる前記杆体の旋回領域が画成され、前記杆体の両側部に嵌設された各前記ハンドルには、把持するために用いる２つの把持領域が画成され、各前記ハンドルの内側には、各前記ローラの側端を当接させる当接領域がそれぞれ設けられ、
各前記ローラの前記第１の接続面がそれぞれ結合され、各前記ローラ面領域の円弧面は互いに接円状態にあることを特徴とする交換式ダブルローラ構造。
【０００９】
（２）ストッパ部をさらに備え、
前記ストッパ部は、穿孔を有するとともに、前記杆体に挿設されて各前記ローラ間に位置決めされ、各前記ローラ間に所定の距離が設けられることを特徴とする前記（１）に記載の交換式ダブルローラ構造。
【００１０】
（３）前記ストッパ部の前記穿孔は、前記杆体の側端に直接嵌着可能な開放状態に形成されることを特徴とする前記（２）に記載の交換式ダブルローラ構造。
【００１１】
（４）前記ローラの前記ローラ面領域の前記滑り止め部は、一体成形されて各前記ローラの前記ローラ面領域に設けられるか、被覆方式により各前記ローラの前記ローラ面領域の何れか１つを覆うことを特徴とする前記（１）に記載の交換式ダブルローラ構造。
【００１２】
（５）前記杆体の中心部には、前記杆体を中心部で分離させる枢着部が設けられていることを特徴とする前記（１）に記載の交換式ダブルローラ構造。
【００１３】
（６）前記杆体の前記枢着部の結合方式は、螺着方式、嵌着方式又は係合方式であることを特徴とする前記（５）に記載の交換式ダブルローラ構造。
【００１４】
（７）前記ローラの前記軸孔には、模様が設けられ、
前記杆体の前記旋回領域には、前記ローラが旋回するときの摩擦力を高めるローレット加工部が設けられていることを特徴とする前記（１）に記載の交換式ダブルローラ構造。
【００１５】
（８）２つの位置決め部材をさらに備え、
前記位置決め部材は、前記杆体にそれぞれ設けられ、前記ローラが前記杆体の前記旋回領域に位置決めされることを特徴とする前記（１）に記載の交換式ダブルローラ構造。
【００１６】
（９）前記位置決め部材は、嵌着方式で各前記杆体に環状に嵌設されるか、押し捻る方式で前記杆体の所定位置に設けられ、各前記ローラが前記旋回領域に位置決めされることを特徴とする前記（８）に記載の交換式ダブルローラ構造。
【００１７】
（１０）各前記位置決め部材を押し捻る方式で前記杆体に設ける場合、各前記ローラの前記軸孔の内側が、各前記位置決め部材を収容する環状凹溝に形成され、各前記ローラが前記杆体の前記旋回領域に位置決めされることを特徴とする前記（９）に記載の交換式ダブルローラ構造。
【考案の効果】
【００１８】
本考案の交換式ダブルローラ構造は、ローラを反転させて組み立てて使用形態を変化させ、使用するダブルローラ機能を容易に変化させることができるという著しく顕著な効果を奏する。
【図面の簡単な説明】
【００１９】
【図１】図１は、本考案の一実施形態に係る交換式ダブルローラ構造を示す斜視図である。
【図２】図２は、本考案の一実施形態に係る交換式ダブルローラ構造を示す分解斜視図（１）である。
【図３】図３は、本考案の一実施形態に係る交換式ダブルローラ構造を示す分解斜視図（２）である。
【図４】図４は、本考案の一実施形態に係る交換式ダブルローラ構造の車輪の別の結合形態を示す断面図である。
【図５】図５は、本考案の他の実施形態に係る交換式ダブルローラ構造を示す説明図である。
【図６】図６は、本考案の他の実施形態に係る交換式ダブルローラ構造を示す分解斜視図である。
【図７】図７は、本考案の他の実施形態に係る交換式ダブルローラ構造の杆体を示す分解斜視図である。
【考案を実施するための形態】
【００２０】
以下、本考案の実施形態について図に基づいて説明する。なお、これによって本考案が限定されるものではない。
【００２１】
図１〜図７を参照する。図１〜図７に示すように、本考案の一実施形態に係る交換式ダブルローラ構造は、少なくとも２つのローラ１と、杆体２と、２つのハンドル３とから構成されてなる。
【００２２】
各ローラ１は、所定の厚さを有するとともに、ローラ面領域１１が設けられる。ローラ面領域１１には、摩擦力を高めて滑り止めに用いる滑り止め部１１１がそれぞれ設けられる。ローラ面領域１１は、傾斜した滑らかな弧面である。各ローラ１の両側部には、第１の接続面１２及び第２の接続面１３が画成されるとともに、各ローラ面領域１１の傾斜した滑らかな弧面により第１の接続面１２の面積は第２の接続面１３の面積より大きい。各ローラ１は、中心部に形成されて両側部に貫通された軸孔１４を有する。
【００２３】
杆体２は、ローラ１の軸孔１４に直接挿通され、各ローラ１は杆体２で旋回可能である。
【００２４】
各ハンドル３は、杆体２の両側部に嵌設される。杆体２の中央部には、各ローラ１が位置決めされる旋回領域２１が画成される。杆体２の両側部に嵌設された各ハンドル３には、把持するために用いる２つの把持領域２２が画成される。各ハンドル３の内側には、各ローラ１の側端を当接させる当接領域３１がそれぞれ設けられる。
【００２５】
各ローラ１の第１の接続面１２はそれぞれ結合される。各ローラ面領域１１の円弧面は互いに接円状態である。
【００２６】
以下、上述した構造について詳細に説明する。
【００２７】
本考案の一実施形態に係る交換式ダブルローラ構造は、ストッパ部４をさらに備える。ストッパ部４は、穿孔４１を有するとともに、杆体２に挿設されて各ローラ１間に位置決めされ、各ローラ１間に所定の距離が設けられる。
【００２８】
ストッパ部４の穿孔４１は、直接、杆体２の側端から嵌着される開放状態に形成されてもよい。
【００２９】
ローラ１のローラ面領域１１の滑り止め部１１１は、一体成形されて各ローラ１のローラ面領域１１に設けられるか、被覆方式により各ローラ１のローラ面領域１１の何れか１つを覆ってもよい。
【００３０】
杆体２は、杆体２を中心部で分離する枢着部２３が中心部に設けられている。
【００３１】
杆体２の枢着部２３の結合方式は、螺着方式、嵌着方式又は係合方式でもよい。
【００３２】
ローラ１の軸孔１４には、模様１４１が設けられる。杆体２の旋回領域２１には、ローラ１が旋回するときの摩擦力を高めるローレット加工部２１１が設けられる。
【００３３】
本考案の一実施形態に係る交換式ダブルローラ構造は、２つの位置決め部材５をさらに備える。位置決め部材５は、各杆体２に設けられ、各ローラ１が各杆体２の旋回領域にそれぞれ位置決めされる。
【００３４】
各位置決め部材５は、嵌着方式で各杆体２に環状に嵌設されるか、押し捻る方式で杆体２の所定位置に設けられ、各ローラ１を旋回領域２１に位置決めさせる。
【００３５】
各位置決め部材５を押し捻る方式で杆体２に設ける際、各ローラ１の軸孔１４の内側が、各位置決め部材５を収容する環状凹溝に形成され、各ローラ１は杆体２の旋回領域２１に位置決めされる。
【００３６】
本考案の一実施形態に係る交換式ダブルローラ構造は、実際に使用する状態で説明すると、２つのローラ１と、杆体２と、２つのハンドル３と、を含む。各ローラ１、杆体２及び各ハンドル３については、すでに説明しているため、ここでは繰り返して述べない。
【００３７】
まず、各ローラ１は、所定の厚さを有するとともに、ローラ面領域１１をそれぞれ有する。ローラ面領域１１には、滑り止め部１１１が設けられる。滑り止め部１１１は、各ローラ１のローラ面領域１１に一体成形されるか、被覆方式により各ローラ１のローラ面領域１１の何れか一つを覆い、接触面との摩擦力を高める。ローラ面領域１１は、傾斜して滑らかな弧面である。各ローラ１の両側部には、第１の接続面１２及び第２の接続面１３が画成されるとともに、各ローラ面領域１１の傾斜した滑らかな弧面により第１の接続面１２の面積は、第２の接続面１３の面積より大きい。各ローラ１は、中心部に形成されて両側部に貫通された軸孔１４を有する。
【００３８】
杆体２は、ローラ１の軸孔１４に直接挿通され、各ローラ１は杆体２で旋回可能である。各ハンドル３は、杆体２の側端に嵌設される。杆体２の中央部には、各ローラ１が位置決めされる杆体２の旋回領域２１が画成され、杆体２の両側部に嵌設された各ハンドル３には、把持して滑り止めとして使用する把持領域２２が画成される。各ローラ１の第１の接続面１２がそれぞれ結合され、各ローラ面領域１１の円弧面は互いに接円状態にある。
【００３９】
上述したように、本考案は、ローラを使用して身体を鍛えることができ、実際に使用するときは、必要に応じて所望の形態を選択してもよい。各ローラ１の第１の接続面１２を対応して結合させ、杆体２の旋回領域２１に位置決めし、各ローラ１の各ローラ面領域１１の円弧斜面を接円状態に形成する。そのため、実際に使用する際、各ローラ面領域１１の円弧斜面により全体を左右に傾けて側部揺動させ、ユーザの左側又は右側のコアマッスルを鍛えることができる。各ローラ面領域１１が所定の厚さを有するため、左右に側部揺動する際、側部揺動が安定し、重心が不安定となることを防ぐことができる。ローラ１の第２の接続面１３は、対応して結合され、杆体２の旋回領域２１に位置決めされる。各ローラ１の両側部の外端が内端より広いため、左右が逆になることを防ぎ、安定的に鍛えることができる。
【００４０】
各ローラ１間には、ストッパ部４が設けられ、穿孔４１が杆体２の旋回領域２１に位置決めされ、各ローラ１間の距離が増え、各ローラ１を床又は地面に接触させて旋回させるときに安定させることができ、ユーザが把持領域２２を把持するときに両手で把持する幅が増え、様々なトレーニング効果を得ることができる。ストッパ部４の穿孔４１が開放状態であるため、嵌設方式を利用しなくても、係合方式で速やかに取付けて使用することもできる。
【００４１】
杆体２の中心部には、枢着部２３が設けられ、螺着方式、嵌着方式、係合方式で固定されているため、速やかに着脱することができる。杆体２の両側部には、各ローラ１の中心に挿設される旋回領域２１が設けられているため、各ローラ１を容易に着脱したり交換したりすることができる。
【００４２】
本考案は、初心者のユーザでも簡単に使用することができるように、ローラ１の軸孔１４には模様１４１が設けられ、杆体２の旋回領域２１には、ローレット加工部２１１が設けられ、両者を旋回させる際、互いに摩擦されて摩擦力が高まるため、使用速度が下がり、使用する際に速度が速すぎてユーザが怪我をすることを防ぐことができる。
【００４３】
本考案の一実施形態に係る交換式ダブルローラ構造は、２つの位置決め部材５をさらに備える。位置決め部材５は、杆体２に設けられ、各ローラ１が各杆体２の旋回領域２１にそれぞれ位置決めされる。各位置決め部材５は、嵌設方式により杆体２に環状嵌設されるか、押し捻る方式で杆体２の所定位置に配設され、各ローラ１が杆体２の旋回領域２１に位置決めされ、各ハンドル３を取り外した後でも各ローラ１を位置決め状態にすることができる。各位置決め部材５を押し捻る方式で杆体２に設ける際、各ローラ１の軸孔１４の内側は、各位置決め部材５を収容することができるように、環状凹部に形成されている。そのため、各ローラ１が取り付けられるとき、各位置決め部材５が圧設され、各位置決め部材５が各ローラ１の軸孔１４内側の凹溝に収容され、各ローラ１が杆体２の旋回領域２１に位置決めされるため不用意に摺動することがなく、取り外す際、側端に向けて力を僅かに加えると、各ローラ１の軸孔１４の凹溝内側の位置決め部材５が押圧されて軸孔１４から外れるため、容易に取り外すことができる。
【００４４】
上述したことから分かるように、本考案の交換式ダブルローラ構造は、以下（１）〜（４）の長所を有する。
（１）各ローラの組合せ位置を交換して２種類の異なるトレーニング効果を得て、左右が僅かに傾いたローラでトレーニングしたり左右に傾くことを防いだローラでトレーニングしたりすることができる。
（２）円弧のローラ面領域１１を使用する際、左右に傾いたローラで安定的にトレーニングを行ったり、傾いたローラでトレーニングを行ったりする際、床又は地面との接触が安定する。
（３）取り外したり交換したりする際、枢着部２３を介して杆体２を旋回領域２１から分離するだけで、各ローラ１を速やかに交換したり取り外したりすることができる。
（４）各ローラ１の軸孔１４の模様１４１及び杆体２の旋回領域２１のローレット加工部２１１により、使用するときの速度を緩め、速度が速すぎて運動障害を引き起こすことを防ぐ。
【００４５】
本考案の交換式ダブルローラ構造は、身体を鍛えるのに用いるダブルローラであり、２つのローラ１を含む。ローラ１は、所定の厚さを有するとともに、ローラ面領域１１が設けられる。ローラ面領域１１は、傾斜した弧面状態である。各ローラ１の両側部には、第１の接続面１２及び第２の接続面１３が画成されるとともに、各ローラ面領域１１の傾斜した弧面状により第１の接続面１２の面積は第２の接続面１３の面積より大きく、ローラ面領域１１には、摩擦力を高めて滑ることを防ぐために滑り止め部１１１が設けられる。各ローラ１には、中心部に設けられて両側部に貫通した軸孔１４が形成され、杆体２は、ローラ１の軸孔１４に直接挿設される。各ローラ１は杆体２で旋回可能である。２つのハンドル３を使用し、杆体２の両側部端に嵌設して対称状態にし、杆体２の中央部に旋回領域２１が画成され、各ローラ１は、杆体２の旋回領域２１に位置決めされて旋回可能な状態にされ、杆体２が各ハンドル３に嵌設されて２つの把持領域２２が画成され、ユーザが両手で把持して使用することができ、各ハンドル３を取り外して各ローラ１の左右方向を交換してその使用方式を調整してもよい。このように、本考案の交換式ダブルローラ構造は、ローラを反転させて組み立てて使用形態を変化させ、使用するダブルローラ機能を容易に変化させることができる。
【００４６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４７】
１  ローラ
２  杆体
３  ハンドル
４  ストッパ部
５  位置決め部材
１１  ローラ面領域
１２  第１の接続面
１３  第２の接続面
１４  軸孔
２１  旋回領域
２２  把持領域
２３  枢着部
３１  当接領域
４１  穿孔
１１１  滑り止め部
１４１  模様
２１１  ローレット加工部
【図１】
0003217902.tif 000003
【図２】
0003217902.tif 000004
【図３】
0003217902.tif 000005
【図４】
0003217902.tif 000006
【図５】
0003217902.tif 000007
【図６】
0003217902.tif 000008
【図７】
0003217902.tif 000009